(57)【特許請求の範囲】
【請求項１】
無線通信システムにおいて移動局（ＭＳ）で初期接続を実行する方法であって、
前記方法は、
選択された基地局（ＢＳ）に対して隣接接続可能フェムト基地局（フェムトＢＳ）リストを要請することと、
前記隣接接続可能フェムトＢＳリストを要請した後に、前記選択されたＢＳから隣接フェムトＢＳリストを受信することと、
前記隣接フェムトＢＳリストに基づいて、隣接フェムトＢＳをスキャンすることと、
前記スキャンすることの結果に基づいて、初期接続のためのフェムトＢＳを選択することと、
前記選択されたフェムトＢＳに対する初期接続を実行することと
を含む、方法。
【請求項２】
前記選択されたＢＳは、各隣接フェムトＢＳから放送チャネルを受信することにより選択され、
前記放送チャネルの各々は、対応する隣接フェムトＢＳが前記隣接接続可能フェムトＢＳリストを伝送することができるか否かを示す、請求項１に記載の方法。
【請求項３】
前記隣接接続可能フェムトＢＳリストを要請することは、前記選択された基地局に対して前記隣接フェムトＢＳリストを要請するクエリーを伝送することを含む、請求項１に記載の方法。
【請求項４】
前記選択されたＢＳは、マクロ基地局（マクロＢＳ）またはフェムト基地局（フェムトＢＳ）である、請求項１に記載の方法。
【発明の詳細な説明】
【技術分野】
【０００１】
本発明は、無線通信システムに係り、特に、無線通信システムにおける初期接続方法に関するものである。
【背景技術】
【０００２】
従来技術による無線通信システムにおける初期接続方法について、図１及び２を参照して説明する。図１は、従来技術による無線通信システムにおける初期接続方法を示す図であり、図２は、従来技術による無線通信システムで端末と基地局間のレンジング手順を示す図である。
【０００３】
図１に示すように、電源をつけ、初期接続をするために、端末は、まず、ダウンリンクチャネルをスキャンして接続可能な基地局を探索する。この時、端末は、初期にネットワークのトポロジーまたは構成に関する情報がないから、周辺基地局の周波数をいちいちスキャンする。
【０００４】
そして、端末は、探索された基地局からダウンリンク及びアップリンクに関するシステム情報を獲得して全てのシステム設定を終えた後、図２に示すように、探索された基地局とレンジング手順を行う。端末は、任意のＣＤＭＡレンジングコードを選択して基地局に伝送する競合ベース（ｃｏｎｔｅｎｔｉｏｎ−ｂａｓｅｄ）方法で基地局とレンジングを行って、アップリンクに対する同期を合わせる。
【０００５】
完全に同期されるまで、基地局は、端末が補正すべき変数値をレンジング応答（ｒａｎｇｉｎｇ  ｒｅｓｐｏｎｓｅ：ＲＮＧ−ＲＳＰ）メッセージを通じて知らせる。変数値が補正される間には、レンジング応答メッセージは、状態（ｓｔａｔｕｓ）が“ｃｏｎｔｉｎｕｅ”に設定され、変数値補正が終わると、基地局は、状態が“ｓｕｃｃｅｓｓ”であるレンジング応答メッセージを伝送する。
【０００６】
端末は、基地局との同期を完了すると、広帯域網に登録（ｒｅｇｉｓｔｒｙ）してサービスを受ける。
【０００７】
従来の無線通信システムでは、基地局の数が少なく、基地局の類型が一つしかなかったため、上に説明した方法で初期接続をしても遅延時間が大きくなかった。しかし、近年では、フェムトセル基地局、リレー基地局のような新しい類型の基地局が登場してきており、かかる新しい類型の基地局を含む無線通信システムに従来技術による初期接続方法を適用すると、時間遅延が大きくなるという問題につながる。なお、基地局の類型に応じて適切な初期接続方法が必要になってきた。
【０００８】
まず、リレー基地局は、トランスファーラント（ｔｒａｎｓｐａｒｅｎｔ）とノントランスファーラント（ｎｏｎ−ｔｒａｎｓｐａｒｅｎｔ）の２類型があるが、類型によって制御信号をいずれの基地局に送るかが異なってくる。トランスファーラント類型のリレー基地局は端末とユーザープレーン（ｕｓｅｒ  ｐｌａｎｅ）情報のみをやり取りし、制御信号は端末とマクロ基地局とがやり取りする。すなわち、集中型基地局（ｃｅｎｔｒａｌｉｚｅｄ  ＢＳ−ｏｒｉｅｎｔｅｄ）形態のネットワークである。
【０００９】
ノントランスファーラント類型のリレー基地局は、ユーザープレーン及び制御信号の両方をリレー基地局と端末が直接やり取りし、集中型基地局形態のネットワークと分散型基地局形態のネットワークの両方を有することができる。
【００１０】
フェムトセル基地局は、マクロ基地局の小型バージョンで、マクロ基地局の機能を大部分行いながら、マクロ基地局がカバーする領域に設置されたり、マクロ基地局がカバーできない陰影地域に設置できる基地局類型である。フェムトセル基地局は、独立して作動するネットワーク構成を備えており、都心または室内にリレー基地局よりも格段に多く設置されることができる。したがって、基地局が端末に伝送する隣接基地局リストに、フェムトセル基地局リストは情報量が多すぎるため含まれない。
【００１１】
そして、端末の周辺に多数のフェムトセル基地局が存在し、それぞれのフェムトセル基地局が端末の接続を許容することもあり、許容しないこともあるが、フェムトセル基地局を含む無線通信システムにおいて、従来の初期接続方法を適用して端末が初期接続のためにダウンリンクチャネルを探索すると、周辺の全てのフェムトセル基地局を探索するから遅延時間が長くなるという問題が生じる。
【００１２】
従来技術によるフェムトセル基地局を含む無線通信システムで、初期接続方法には、先選択後拒絶（Ｓｅｌｅｃｔ  ｆｉｒｓｔ  ａｎｄ  ｒｅｊｅｃｔ  ｌａｔｅｒ）方式と正確選択（Ｓｅｌｅｃｔ  ｒｉｇｈｔ）方式がある。
【００１３】
先選択後拒絶方式は、端末がダウンリンクチャネルをスキャンして探知した最初のフェムトセル基地局に優先的にレンジングを試みる。すると、このフェムトセル基地局は、レンジングを試みた端末にサービスを提供できるか否かと端末が正常に認証された端末であるか否かを確認し、端末にサービスを提供できないか、または、レンジングを試みた端末が認証された端末でないと、端末を拒絶する。拒絶された端末は、再びダウンリンクチャネルをスキャンして別のフェムトセル基地局を探索し、探索されたフェムトセル基地局にレンジングを試みる。このようにして端末は端末の接続を許容するフェムトセル基地局を探してネットワークに接続する。しかし、先選択後拒絶方式は、端末が、端末の接続を許容するフェムトセル基地局を見つかるまで探索されたフェムトセル基地局にレンジングを試みる手順を反復するから、初期接続に時間遅延が大きくなるという問題点がある。
【００１４】
正確選択方式は、端末が、特定の方法により、探知したフェムト基地局の中から、端末自身の認証及びサービス提供が可能なフェムト基地局を一度で見つかり、ネットワークに接続する方式である。正確選択方式は、端末が接続できるフェムト基地局を探す特定方法を必要とする。
【発明の概要】
【発明が解決しようとする課題】
【００１５】
上記のように、フェムトセル基地局は、設置される数が多く、端末の接続を制限的に許容する特性を有するので、フェムトセル基地局を含む無線通信システムに従来技術による初期接続方法を適用すると、遅延時間が長くなる問題点がある。そして、フェムトセル基地局及びマクロ基地局が共存するので、どの基地局に優先してスキャンするかに対する基準も必要である。したがって、フェムトセル基地局を含む無線通信システムに適した初期接続方法が望まれている。
【００１６】
本発明の目的は、効果的な初期接続方法を提供することにある。
【００１７】
本発明の目的は、遅延時間を減少させる初期接続方法を提供することにある。
【００１８】
本発明で達成しとする技術的課題は、以上に言及した技術的課題に制限されず、言及していない別の技術的課題は、下の記載から、本発明の属する技術の分野における通常の知識を有する者には明らかになるであろう。
【課題を解決するための手段】
【００１９】
上記課題を達成するために、本発明の一様相によるフェムトセルを含む無線通信システムにおける初期接続方法において、端末は、ダウンリンクチャネルをスキャンして、前記端末に正常なサービスを提供できるとともに前記端末の周辺にあるフェムトセル基地局に関する情報を要請する基地局を選択し、該選択された基地局に、前記端末に正常なサービスを提供できるとともに前記端末の周辺にあるフェムトセル基地局に関する情報を要請する。
【００２０】
ここで、前記端末は、前記ダウンリンクチャネルをスキャンして、前記端末に正常なサービスを提供できるとともに、前記端末周辺にあるフェムトセル基地局に関する情報を知らせることができるマクロ基地局とフェムトセル基地局を見つかった場合、前記フェムトセル基地局を、前記端末に正常なサービスを提供できるとともに前記端末の周辺にあるフェムトセル基地局に関する情報を要請する基地局として選択することができる。
【００２１】
前記端末は、前記フェムトセル基地局に関する情報を要請した後、前記選択された基地局から、前記端末に正常なサービスを提供できるとともに前記端末の周辺にあるフェムトセル基地局に関する情報を受信し、前記端末に正常なサービスを提供できるとともに前記端末の周辺にあるフェムトセル基地局に関する情報に含まれたフェムトセル基地局をスキャンして、最適のフェムトセル基地局を決定し、該決定された基地局に初期接続手順を行うことができる。
【００２２】
上記課題を達成するために、本発明の他の様相によるフェムトセルを含む無線通信システムにおけるフェムトセル基地局情報伝送方法において、基地局は端末から、前記端末に正常なサービスを提供できるとともに前記端末の周辺にあるフェムトセル基地局に関する情報要請を受信し、前記端末に正常なサービスを提供できるとともに前記端末の周辺にあるフェムトセル基地局に関する情報を、前記端末に伝送する。
本発明は、例えば、以下の項目も提供する。
（項目１）
フェムトセルを含む無線通信システムで端末による初期接続方法であって、
ダウンリンクチャネルをスキャンして、前記端末に正常なサービスを提供できるとともに前記端末の周辺にあるフェムトセル基地局に関する情報を要請する基地局を選択する段階と、
前記選択された基地局に、前記端末に正常なサービスを提供できるとともに前記端末の周辺にあるフェムトセル基地局に関する情報を要請する段階と、
を含む初期接続方法。
（項目２）
前記選択された基地局から、前記端末に正常なサービスを提供できるとともに前記端末の周辺にあるフェムトセル基地局に関する情報を受信する段階と、
前記端末に正常なサービスを提供できるとともに前記端末の周辺にあるフェムトセル基地局に関する情報に含まれたフェムトセル基地局をスキャンして、最適のフェムトセル基地局を決定し、該決定された基地局に初期接続手順を行う段階と、
を含む、項目１に記載の初期接続方法。
（項目３）
前記基地局を選択する段階は、
前記ダウンリンクチャネルをスキャンして、前記端末に正常なサービスを提供できるとともに前記端末の周辺にあるフェムトセル基地局に関する情報を知らせうるマクロ基地局とフェムトセル基地局を探した場合、前記フェムトセル基地局を、前記端末に正常なサービスを提供できるとともに前記端末の周辺にあるフェムトセル基地局に関する情報を要請する基地局として選択することを特徴とする、項目１に記載の初期接続方法。
（項目４）
前記基地局を選択する段階は、前記端末周辺の基地局から放送チャネルを受信する段階を含み、
前記放送チャネルは、前記放送チャネルを伝送する基地局が、前記端末に正常なサービスを提供できるとともに前記端末の周辺にあるフェムトセル基地局に関する情報を知らせうるか否かに関する情報を含むことを特徴とする、項目１に記載の初期接続方法。
（項目５）
前記情報を要請する段階は、前記端末に正常なサービスを提供できるとともに前記端末の周辺にあるフェムトセル基地局に関する情報を要請するためのクエリーを、前記選択された基地局に伝送することを特徴とする、項目１に記載の初期接続方法。
（項目６）
前記選択された基地局から、前記クエリーに対する応答であるクエリー応答を第１スーパーフレームを通じて受信する段階をさらに含み、
前記クエリー応答は、前記端末に正常なサービスを提供できるとともに前記端末の周辺にあるフェムトセル基地局に関する情報が伝送されうるスーパーフレームオフセットを含むことを特徴とする、項目５に記載の初期接続方法。
（項目７）
前記選択された基地局から、前記第１スーパーフレームから前記スーパーフレームオフセット以降の第２スーパーフレームを通じて放送チャネルを受信する段階と、
前記選択された基地局から、前記第２スーパーフレームを通じて、前記端末に正常なサービスを提供できるとともに前記端末の周辺にあるフェムトセル基地局に関する情報を受信する段階と、
をさらに含む、項目６に記載の初期接続方法。
（項目８）
前記端末に正常なサービスを提供できるとともに前記端末の周辺にあるフェムトセル基地局に関する情報は、前記端末に正常なサービスを提供できるとともに前記端末の周辺にあるフェムトセル基地局のそれぞれの基地局ＩＤ、及び前記端末に正常なサービスを提供できるとともに前記端末の周辺にあるフェムトセル基地局のそれぞれが使用する周波数情報のうちの少なくとも一つを含むことを特徴とする、項目１に記載の初期接続方法。
（項目９）
フェムトセルを含む無線通信システムで基地局によるフェムトセル基地局情報伝送方法であって、
端末から、前記端末に正常なサービスを提供できるとともに前記端末の周辺にあるフェムトセル基地局に関する情報要請を受信する段階と、
前記端末に正常なサービスを提供できるとともに前記端末の周辺にあるフェムトセル基地局に関する情報を、前記端末に伝送する段階と、
を含む、フェムトセル基地局情報伝送方法。
（項目１０）
前記基地局が、前記端末に正常なサービスを提供できるとともに前記端末の周辺にあるフェムトセル基地局に関する情報を前記端末に知らせうるか否かに関する情報を含む放送チャネルを伝送する段階をさらに含む、項目９に記載のフェムトセル基地局情報伝送方法。
（項目１１）
フェムトセルを含む無線通信システムで端末による初期接続方法であって、
個人キー管理要請（ａｄｖａｎｃｅｄ  ａｉｒ  ｉｎｔｅｒｆａｃｅ  ｐｒｉｖａｃｙ
ｋｅｙ  ｍａｎａｇｅｍｅｎｔ  ｒｅｑｕｅｓｔ：ＡＡＩ＿ＰＫＭ−ＲＥＱ）メッセージを通じて、フェムトセル基地局への認証手順に失敗した場合に、端末に正常にサービスを提供できる隣接フェムトセル基地局情報提供を要請する段階と、
前記認証手順に失敗した場合、前記フェムトセル基地局から、端末に正常にサービスを提供できる隣接フェムトセル基地局情報を受信する段階と、
を含む、初期接続方法。
（項目１２）
前記受信する段階は、
前記端末に正常にサービスを提供できる隣接フェムトセル基地局情報を、個人キー管理応答（ａｄｖａｎｃｅｄ  ａｉｒ  ｉｎｔｅｒｆａｃｅ  ｐｒｉｖａｃｙ  ｋｅｙ  ｍａｎａｇｅｍｅｎｔ  ｒｅｓｐｏｎｓｅ：ＡＡＩ＿ＰＫＭ−ＲＳＰ）メッセージを通じて受信することを特徴とする、項目１１に記載の初期接続方法。
（項目１３）
フェムトセルを含む無線通信システムで端末による初期接続方法であって、
フェムトセル基地局と認証手順を行う段階と、
前記認証手順に失敗した場合、前記フェムトセル基地局から、前記端末に正常にサービスを提供できる隣接フェムトセル基地局情報を受信する段階と、
を含む、初期接続方法。
（項目１４）
前記認証手順に失敗した場合、前記フェムトセル基地局に、前記端末に正常にサービスを提供できる隣接フェムトセル基地局情報を要請する段階をさらに含む、項目１３に記載の初期接続方法。
（項目１５）
前記受信する段階は、
前記端末に正常にサービスを提供できる隣接フェムトセル基地局情報を、隣接応答（ａｄｖａｎｃｅｄ  ａｉｒ  ｉｎｔｅｒｆａｃｅ  ｎｅｉｇｈｂｏｒ  ｒｅｓｐｏｎｓｅ：ＡＡＩ＿ＮＢＲ−ＲＳＰ）メッセージを通じて受信することを特徴とする、項目１４に記載の初期接続方法。
（項目１６）
前記受信する段階は、
前記端末に正常にサービスを提供できる隣接フェムトセル基地局情報を、該当のメッセージが端末に正常にサービスを提供できる隣接フェムトセル基地局情報を提供するということを指示するコードを含む個人キー管理応答（ａｄｖａｎｃｅｄ  ａｉｒ  ｉｎｔｅｒｆａｃｅ  ｐｒｉｖａｃｙ  ｋｅｙ  ｍａｎａｇｅｍｅｎｔ  ｒｅｓｐｏｎｓｅ：ＡＡＩ＿ＰＫＭ−ＲＳＰ）メッセージを通じて受信することを特徴とする、項目１４に記載の初期接続方法。
【発明の効果】
【００２３】
本発明の実施例によれば、下記のような効果が得られる。
【００２４】
第一に、基地局が端末に、端末を正常にサービスできる端末周辺のフェムトセル基地局に関する情報を知らせることによって、端末が效率的に初期接続を行うことができる。
【００２５】
第二に、端末が基地局から端末を正常にサービスできる端末周辺のフェムトセル基地局に関する情報を受信し、基地局から知らせてもらった候補フェムトセル基地局のみをスキャンすることで初期接続するフェムトセル基地局を決定するので、時間遅延を減らすことができる。
【００２６】
本発明から得られる効果は以上で言及した効果に制限されず、言及していない別の効果は、下の記載から、本発明の属する技術分野における通常の知識を有する者には明らかである。
【図面の簡単な説明】
【００２７】
【図１】従来技術による無線通信システムで初期接続方法を示す図である。
【図２】従来技術による無線通信システムで端末と基地局間のレンジング手順を示す図である。
【図３】フェムトセル基地局が追加された無線通信システムの構成図である。
【図４】端末の状態変化を示す図である。
【図５】初期状態及び接続状態を詳細に示す図である。
【図６】本発明の実施例による初期接続方法を示す図である。
【図７】本発明の実施例による初期接続方法で無線通信システムの各個体が行う手順を示す図である。
【図８】本発明の実施例による初期接続方法で端末と基地局がメッセージをやり取りする手順を示す図である。
【図９】本発明の一実施例によって端末が初期接続を試みる過程を示す図である。
【図１０】本発明の他の実施例によって端末が初期接続を試みる過程を示す図である。
【図１１】本発明のさらに他の実施例によって端末が初期接続を試みる過程を示す図である。
【発明を実施するための形態】
【００２８】
以下、添付の図面を参照しつつ、本発明の実施例について、本発明の属する技術分野における通常の知識を有する者が容易に実施できるように詳細に説明する。ただし、本発明は様々な形態に具現することができ、ここで説明される実施例に限定されない。図面中、本発明を明確に説明するために、説明と無関係な部分は省略し、明細書全体を通じて類似の部分には類似の図面符号を付ける。
【００２９】
明細書全体において、ある部分がある構成要素を“含む”とする場合、これは、特に反対する記載がない限り、ある構成要素を除外するということを意味するのではなく、ある構成要素をさらに含むことができるという意味である。また、明細書に記載された“…部”、“…機”、“モジュール”などの用語は、少なくとも一つの機能や動作を処理する単位を意味し、これは、ハードウェア、ソフトウェア、またはハードウェア及びソフトウェアの結合で具現することができる。
【００３０】
まず、フェムトセル基地局が追加された無線通信システムについて図３を参照して説明する。図３は、フェムトセル基地局が追加された無線通信システムの構成図である。
【００３１】
図３に示すように、フェムトセル基地局が追加された無線通信システムは、フェムトセル基地局３１０、マクロ基地局３２０、フェムトネットワークゲートウェイ（ｆｅｍｔｏ  ｎｅｔｗｏｒｋ  ｇａｔｅｗａｙ：以下、“ＦＮＧ”という。）３３０、接続サービス網（ａｃｃｅｓｓ  ｓｅｒｖｉｃｅ  ｎｅｔｗｏｒｋ：以下、“ＡＳＮ”という。）３４０、及び連結サービス網（ｃｏｎｎｅｃｔｉｖｉｔｙ  ｓｅｒｖｉｃｅ  ｎｅｔｗｏｒｋ：以下、“ＣＳＮ”という。）３５０を含む。
フェムトセル基地局３１０は、マクロ基地局３２０の小型バージョンで、マクロ基地局の機能を大部分行う。フェムトセル基地局３１０は、ＴＣＰ／ＩＰ（ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）ネットワークに直接接続してマクロ基地局３２０のように独立して作動し、カバレッジは０．１〜３０ｍ程度であり、一つのフェムトセル基地局３１０が収容可能な端末は１０〜２０個程度である。フェムトセル基地局３１０は、マクロ基地局３２０と同一の周波数を使用することもでき、異なる周波数を使用することもでき、一つのフェムトセル基地局３１０が、複数のネットワークサービスプロバイダ（ｎｅｔｗｏｒｋ  ｓｅｒｖｉｃｅ  ｐｒｏｖｉｄｅｒ：ＮＳＰ）を通じて管理されることができる。
【００３２】
フェムトセル基地局３１０は、マクロ基地局３２０とＲ１インターフェースを介して連結されて、マクロ基地局３２０のダウンリンクチャネルを受信することができ、フェムトセル基地局３１０は、マクロ基地局３２０に制御信号（ｃｏｎｔｒｏｌ  ｓｉｇｎａｌ）を伝送することができる。
【００３３】
フェムトセル基地局３１０は、マクロ基地局３２０がカバーできない室内または陰影地域をカバーでき、高いデータ伝送を支援することができる。フェムトセル基地局３１０は、マクロセル内にオーバレイ（ｏｖｅｒｌａｙ）形態で設置されることもでき、マクロ基地局３２０がカバーしない地域にノンオーバレイ（ｎｏｎ−ｏｖｅｒｌａｙ）形態で設置されることもできる。
【００３４】
フェムトセル基地局３１０がマクロセル内にオーバレイ形態で設置される場合には、フェムトセル基地局３１０とマクロ基地局とは同期しており、フェムトセル基地局３１０は、マクロ基地局のダウンリンクチャネルを受信することができる。そして、フェムトセル基地局３１０に関する位置情報をマクロ基地局が端末に提供することができ、フェムトセル基地局３１０は、マクロ基地局または他の上位個体からフェムトセル基地局３１０に対する要請がある時にバックホール（ｂａｃｋｈａｕｌ）を通じて提供する。
【００３５】
フェムトセル基地局３１０がノンオーバレイ形態で設置される場合に、フェムトセル基地局３１０は、自身のみのプリアンブルセットまたは連結識別子（ｃｏｎｎｅｃｔｉｏｎ  ｉｄｅｎｔｉｆｉｃａｔｉｏｎ；以下、“ＣＩＤ”という。）を使用することもでき、最も近くにあるマクロ基地局から、プリアンブルまたはＣＩＤリソースを集中型（ｃｅｎｔｒａｌｉｚｅｄ）方式で受け取ることもできる。または、バックホールを通じて最も近くにあるマクロ基地局からシステム情報を獲得することもできる。
【００３６】
フェムトセル基地局３１０は、２タイプに分類される。その一つのタイプは、ＣＳＧ（ｃｌｏｓｅｄ  ｓｕｂｓｃｒｉｂｅｒ  ｇｒｏｕｐ）フェムトセル基地局であり、もう一つのタイプはＯＳＧ（ｏｐｅｎ  ｓｕｂｓｃｒｉｂｅｒ  ｇｒｏｕｐ）フェムトセル基地局である。ＣＳＧフェムトセル基地局は、自身に接近可能な端末をグルーピングしてＣＳＧ  ＩＤ（ｉｄｅｎｔｉｆｉｃａｔｉｏｎ）を付与し、ＣＳＧ  ＩＤの与えられた端末のみがＣＳＧフェムトセル基地局に接続することができる。ＯＳＧフェムトセル基地局は、いかなる端末も接続できる基地局である。
【００３７】
マクロ基地局３２０は、従来の無線通信システムにおける一般の基地局を意味する。マクロ基地局３２０は、マクロ基地局の領域内に位置しているフェムトセル基地局に関する情報をフェムトネットワークゲートウェイ３３０を通じて獲得することができる。
【００３８】
ＦＮＧ  ３３０は、フェムトセル基地局３１０を制御するゲートウェイで、ＡＳＮ  ３４０及びＣＳＮ  ３５０とＲｘインターフェース及びＲｙインターフェースを介してそれぞれ連結されている。フェムトセル基地局３１０は、ＦＮＧ  ３３０を介してＣＳＮ  ３５０からサービスを受けることができ、フェムトセル基地局３１０に連結されている端末は、認証、ＩＭＳ等の機能をＦＮＧ  ３３０またはＣＳＮ  ３５０からサービスされることができる。
【００３９】
ＣＳＮ  ３５０は端末にインターネット、ＶｏＩＰなどのような応用サービスの連結を提供し、認証及び課金機能を提供し、ＡＳＮ  ３４０はマクロ基地局３２０を制御し、マクロ基地局３２０とＣＳＮ  ３５０との連結を管理する。
【００４０】
次に、端末の状態変化について、図４乃至５を参照して説明する。図４は、端末の状態変化を示す図であり、図５は、初期状態及び接続状態を詳細に示す図である。
【００４１】
図４に示すように、端末の状態は、初期化状態（ｉｎｉｔｉａｌｉｚａｔｉｏｎ  ｓｔａｔｅ）、接続状態（ａｃｃｅｓｓ  ｓｔａｔｅ）、連結状態（ｃｏｎｎｅｃｔｅｄ  ｓｔａｔｅ）及び遊休状態（ｉｄｌｅ  ｓｔａｔｅ）に区別される。端末の初期接続は、これら４状態のうち、初期化状態及び接続状態と関連している。
【００４２】
端末の電源が入ると、端末は、初期化状態でダウンリンクチャネルをスキャンして基地局を探索し、探索された基地局のシステム情報を放送チャネルを通じて獲得して、接続する基地局を決定する。基地局は、初期接続手順が迅速になされるように、アップリンクチャネル記述子（ｕｐｌｉｎｋ  ｃｈａｎｎｅｌ  ｄｅｓｃｒｉｐｔｏｒ：ＵＣＤ）及びダウンリンクチャネル記述子（ｄｏｗｎｌｉｎｋ  ｃｈａｎｎｅｌ  ｄｅｓｃｒｉｐｔｏｒ：ＤＣＤ）のようなシステム情報をスーパーフレーム（ｓｕｐｅｒｆｒａｍｅ）またはサブフレーム（ｓｕｂｆｒａｍｅ）単位で伝送する。スーパーフレームは、２０ｍｓであり、サブフレームは約０．６１７ｍｓである。
【００４３】
そして、図５に示すように、接続状態で、端末はネットワーク接続をする基地局とのレンジング過程を行って、認証及び登録（ｒｅｇｉｓｔｒｙ）手順を経て連結状態への切替作業を終える。
【００４４】
次に、本発明の実施例による無線通信システムにおける初期接続方法について、図６乃至図７を参照して説明する。
【００４５】
図６は、本発明の実施例による初期接続方法を示す図であり、図７は、本発明の実施例による初期接続方法において無線通信システムの各個体が行う手順を示す図である。
【００４６】
端末の電源が入り、初めてネットワークへの初期接続をしたり遊休状態の端末がネットワークに再び接続したりする場合、端末は、ネットワーク初期接続（ｉｎｉｔｉａｌ  ｎｅｔｗｏｒｋ  ｅｎｔｒｙ）を試みる。
【００４７】
本発明の実施例で、端末は、ダウンリンクチャネルをスキャンして、端末にネットワーク構成に関する情報を提供できる基地局を探索し、探索された基地局に、端末に正常なサービスを提供できる隣接フェムトセル基地局に関する情報を要請し、基地局から、端末に正常なサービスを提供できる隣接フェムトセル基地局に関する情報を受信し、基地局から知らせてもらった、端末に正常なサービスを提供できる隣接フェムトセル基地局のうち、最適のフェムトセル基地局を探し、最適のフェムトセル基地局に初期接続を行う。
【００４８】
したがって、端末は、ネットワーク初期接続を行うために、まず、ダウンリンクチャネルをスキャンして、情報接続を試みる基地局を探す。情報接続は、端末が基地局とレンジング手順を行った後、ネットワーク構成に関する情報を要請する過程である。
【００４９】
ダウンリンクチャネルをスキャンする時、端末は、フェムトセル基地局が伝送するプリアンブルの主同期チャネル（ｐｒｉｍａｒｙ  ｓｙｎｃｈｒｏｎｏｕｓ  ｃｈａｎｎｅｌ：Ｐ−ＳＣＨ）と副同期チャネル（ｓｅｃｏｎｄａｒｙ  ｓｙｎｃｈｒｏｎｏｕｓ  ｃｈａｎｎｅｌ：Ｓ−ＳＣＨ）を通じてフェムト基地局のセルＩＤを獲得し、フェムトセル基地局の放送チャネル（ｂｒｏａｄｃａｓｔ  ｃｈａｎｎｅｌ：ＢＣＨ）を通じてフェムトセル基地局への接続権限（Ｂｅａｒｅｒ  ｃｏｎｎｅｃｔｉｏｎ  ｃａｐａｂｉｌｉｔｙ）とネットワーク構成に関する情報接続権限（ｎｅｔｗｏｒｋ  ｉｎｆｏｒｍａｔｉｏｎ  ａｃｃｅｓｓ  ｃａｐａｂｉｌｉｔｙ）がわかる。
【００５０】
フェムトセル基地局への接続権限は、端末がフェムトセル基地局を通じてネットワークに接続できる権限で、本発明の実施例では、フェムトセル基地局のタイプを意味する。すなわち、フェムトセル基地局は、ＯＳＧフェムトセル基地局及びＣＳＧフェムトセル基地局に区別されるが、ＯＳＧフェムトセル基地局にはいかなる端末も接続でき、ＣＳＧフェムトセル基地局には特定端末のみ接続することができる。したがって、フェムトセル基地局がＯＳＧ基地局であれば、端末はフェムトセル基地局への接続権限を有し、フェムトセル基地局がＣＳＧ基地局であれば、端末はフェムトセル基地局への接続権限がないというわけである。
【００５１】
フェムトセル基地局への接続権限に関する情報は、放送チャネルの主放送チャネル（ｐｒｉｍａｒｙ  ＢＣＨ）を通じて伝送されることもでき、副放送チャネル（ｓｅｃｏｎｄａｒｙ  ＢＣＨ）を通じて伝送されることもできる。副放送チャネルを通じて伝送される場合には、副搬送チャネルの情報要素のうち、毎スーパーフレームごとに伝送される情報要素に区分されて、毎スーパーフレームごとに伝送される。これは、ＣＳＧを支援しない端末が接続権限を確認するために多数の放送チャネルを受信することを防止するためである。
【００５２】
ネットワーク構成に関する情報接続権限は、端末がネットワークに登録する前に、フェムトセル基地局からネットワーク構成に関する情報を獲得できる権限である。フェムトセル基地局は、端末の接続を許容するか否かによらず、端末にネットワーク構成に関する情報を提供することも、提供しないこともできる。すなわち、端末にネットワーク構成に関する情報を提供するフェムトセル基地局であれば、端末がネットワーク構成に関する情報接続権限があり、端末にネットワーク構成に関する情報を提供するフェムトセル基地局でなければ、端末がネットワーク構成に関する情報接続権限がないというわけである。
【００５３】
フェムトセル基地局は、端末にフェムトセル基地局への接続権限とネットワーク構成に関する情報接続権限を、基地局ＩＤやセルＩＤ（Ｃｅｌｌ  ＩＤ）を通じて知らせることもできる。例えば、基地局ＩＤやセルＩＤの特定ビットが、各々フェムトセル基地局への接続権限及びネットワーク構成に関する情報接続権限を意味することもでき、フェムトセル基地局の基地局ＩＤをマクロ基地局の基地局ＩＤに比べて２ビットさらに長くして、１ビットでフェムトセル基地局への接続権限を表し、１ビットでネットワーク構成に関する情報接続権限を表すことができる。
【００５４】
端末がダウンリンクチャネルをスキャンして得られる結果の組み合わせは、合計３つである。すなわち、マクロ基地局のみ発見された場合、フェムトセル基地局のみ発見された場合、マクロ基地局とフェムトセル基地局の両方が発見された場合がありうる。マクロ基地局のみ発見された場合には、端末はマクロ基地局にネットワーク初期接続を試みる。
【００５５】
端末がダウンリンクチャネルをスキャンして、フェムトセル基地局のみ発見したり、マクロ基地局とフェムトセル基地局の両方を発見した場合、発見されたフェムトセル基地局のうち、ネットワーク構成に関する情報接続が可能なフェムトセル基地局のうち、の信号強度が最も良いフェムトセル基地局を、情報接続を試みる基地局と決定する。
【００５６】
端末が発見したフェムトセル基地局のうち、ネットワーク構成に関する情報接続が可能なフェムトセル基地局がないと、端末がマクロ基地局及びフェムトセル基地局を発見した場合には、マクロ基地局のうち、信号強度が最も良い基地局を、情報接続を試みる基地局と決定する。そして、端末がフェムトセル基地局のみ発見した場合には、発見したフェムトセル基地局がいずれもＣＳＧフェムトセル基地局であれば、端末はネットワークに接続できず、発見した基地局にＯＳＧフェムトセル基地局があると、発見したＯＳＧフェムトセル基地局のうち、信号の強度が最も良いＯＳＧフェムトセル基地局に初期接続を行う。
【００５７】
図６及び図７に示すように、端末は、情報接続を試みる基地局として決定された基地局に情報接続を行う（Ｓ７１０）。情報接続過程で、端末は基地局に、発見されたフェムトセル基地局に関する情報を伝送する。
【００５８】
情報接続過程で、端末は、決定された基地局にＣＤＭＡコードを伝送してレンジングを行い、端末に正常なサービスを提供できるとともに端末の周辺にあるフェムトセル基地局に関する情報を要請する。
【００５９】
すると、基地局は、情報接続過程で端末から受信した情報に基づいて、端末に正常なサービスを提供できる隣接フェムトセル基地局リストを作成する（Ｓ７２０）。基地局は、端末に正常なサービスを提供できる隣接フェムトセル基地局リストを作成する時、基地局が知っている情報を用いて作成することもでき、バックボーンネットワークを通じてフェムトセル基地局管理個体と通信して作成することもできる。例えば、フェムトセル基地局管理個体はＦＮＧとすることができる。
【００６０】
基地局は、端末に正常なサービスを提供できる隣接フェムトセル基地局に関する情報を端末に伝送する（Ｓ７３０）。端末に正常なサービスを提供できる隣接フェムトセル基地局に関する情報は、端末に正常なサービスを提供できる隣接フェムトセル基地局の基地局ＩＤ、及び端末に正常なサービスを提供できる隣接フェムトセル基地局が使用する周波数帯域の中心周波数を含むことができる。
【００６１】
端末は、基地局から受信した端末に正常なサービスを提供できる隣接フェムトセル基地局をスキャンして、最適のフェムトセル基地局を選択し、選択された基地局に初期接続手順を行う（Ｓ７５０）。
【００６２】
端末に正常なサービスを提供できる隣接フェムトセル基地局がない場合、端末は、情報接続した基地局から、端末に正常なサービスを提供できる隣接フェムトセル基地局に関する情報を受信することができない。この場合、端末が初期にダウンリンクチャネルをスキャンしてマクロ基地局を発見したとすれば、発見したマクロ基地局に初期接続を行い、フェムトセル基地局のみ発見したとすれば、端末はネットワークに接続することができない。
【００６３】
次に、本発明の実施例による初期接続方法において、端末が、フェムトセル基地局の同期チャネル及び放送チャネルをスキャンして、端末にネットワーク構成に関する情報を提供できるフェムトセル基地局を探索し、探索されたフェムトセル基地局に情報接続を行い、探索されたフェムトセル基地局から、端末に正常なサービスを提供できる隣接フェムトセル基地局に関する情報を受信する過程で端末と基地局がメッセージをやり取りする手順について、図８を参照して説明する。
【００６４】
図８は、本発明の実施例による初期接続方法において端末と基地局がメッセージをやり取りする手順を示す図である。
【００６５】
上述したように、端末は、初期接続を試みるために、まず、ダウンリンクチャネルをスキャンする。すなわち、端末は、周辺基地局の同期チャネル及び放送チャネルを受信する。図８を参照すると、端末は、主同期チャネルを通じて基地局からフェムトセル基地局指示子を受信し（Ｓ８０１）、副同期チャネルを通じてセルＩＤを受信する（Ｓ８０２）。端末は、フェムトセル基地局指示子から、基地局がフェムトセル基地局であることがわかる。
【００６６】
そして、端末は、放送チャネルを通じて基地局ＩＤ（ＢＳ  ＩＤ）、フェムトセルタイプ（ｆｅｍｔｏ  ｔｙｐｅ）、ネットワーク構成に関する情報接続権限を受信する（Ｓ８０３）。フェムトセルタイプは、放送チャネルを伝送したフェムトセル基地局がＯＳＧフェムトセル基地局であるか、ＣＳＧフェムトセル基地局であるかを示す。そして、ネットワーク構成に関する情報接続権限が‘ｏｎ’に設定されていると、基地局が端末にネットワーク構成に関する情報を提供できるという意味であり、ネットワーク構成に関する情報接続権限が‘ｏｆｆ’に設定されていると、基地局が端末にネットワーク構成に関する情報を提供できないという意味である。
【００６７】
端末は、ネットワーク構成に関する情報接続権限が‘ｏｎ’に設定されているフェムトセル基地局のうち、信号強度の最も良いフェムトセル基地局に情報接続を試みる。すなわち、図８に示すように、端末は、初期レンジングを行い（Ｓ８０４）、初期レンジング過程でフェムトセル基地局から端末が使用する臨時ＩＤ（ｔｅｍｐ  ＩＤ）を受ける。
【００６８】
そして、端末は、フェムトセル基地局と基本機能交渉（ｂａｓｉｃ  ｓｅｒｖｉｃｅ  ｃａｐａｂｉｌｉｔｙ  ｎｅｇｏｔｉａｔｉｏｎ）を行う（Ｓ８０５）。この時、ネットワーク構成に関する情報を獲得する時に使用するクエリープロトコルを交渉する。そして、フェムトセル基地局と端末との距離が近いから初期レンジングは省略しても良いが、初期レンジングを省略した場合には、基本機能交渉過程で基地局から臨時ＩＤを受ける。臨時ＩＤは、認証を通じて端末のＭＡＣアドレス（ＭＡＣ  ａｄｄｒｅｓｓ）が基地局に伝達され、制御管理ＩＤを基地局から受信するまで端末と基地局間のメッセージ送受信に用いられるＩＤである。
【００６９】
端末は、フェムトセル基地局に初期情報クエリー（ｉｎｉｔｉａｌ  ｉｎｆｏｒｍａｔｉｏｎ  ｑｕｅｒｙ）を伝送する（Ｓ８０６）。初期情報クエリーは、端末がフェムトセル基地局にネットワーク構成に関する情報、すなわち、端末に正常にサービスを提供できる隣接フェムトセル基地局情報を要請するために伝送するメッセージである。
【００７０】
本発明の実施例では、端末がネットワーク構成に関する情報を獲得する時に使用するクエリープロトコルとして、ＩＥＥＥ  ８０２．２１で定義するＭＩＨ（ｍｅｄｉａ  ｉｎｄｅｐｅｎｄｅｎｔ  ｈａｎｄｏｖｅｒ）を取り上げて説明するが、これに限定されず、他のクエリープロトコルを用いることもできる。端末は、物理層、ＭＡＣ層、及び物理層とＭＡＣ層を制御及び管理する網制御管理システム（ｎｅｔｗｏｒｋ  ｃｏｎｔｒｏｌ  ｍａｎａｇｅｍｅｎｔ  ｓｙｓｔｅｍ；以下、“ＮＣＭＳ”という。）を含む。ＮＣＭＳは、物理層及びＭＡＣ層を制御及び管理するための個体の集合で、物理層及びＭＡＣ層とインターフェースを通じて連動し、ＭＩＨ個体を含む。
【００７１】
ＮＣＭＳのＭＩＨ個体は、端末がフェムトセル基地局に問い合わせする事項を含む情報クエリー（ｉｎｆｏｒｍａｔｉｏｎ  ｑｕｅｒｙ）をＭＡＣ層に伝達して、ＭＡＣ層は、伝達された情報クエリーをＭＡＣコンテナー（ＭＡＣ  ｃｏｎｔａｉｎｅｒ）に含めてネットワークに伝送する。情報クエリーを含むＭＡＣコンテナーが、端末が基地局に伝送する初期情報クエリーである。したがって、初期情報クエリーは、ＭＩＨ個体がＭＡＣ層に伝送した情報クエリーが含む問い合わせ事項を全て含み、追加的にコード及び初期情報クエリーに対する応答を伝送する方法に対する要請も含むことができる。
【００７２】
端末は、認証などの過程によって端末と基地局が正常に連結された後に基地局にいずれかの情報を要請できるが、本発明の実施例のように、初期レンジング過程及び基本機能交渉過程のみを経て端末が基地局にネットワーク構成に関する情報を要請することは例外的な場合である。したがって、初期情報クエリーは、初期情報クエリーが例外的なメッセージであるということを示すためのコードを含む。
【００７３】
そして、初期情報クエリーを受信したフェムトセル基地局は、初期情報クエリーに対する応答を端末に伝送するが、端末は、フェムトセル基地局が初期情報クエリーに対する応答を伝送する方法をフェムトセル基地局に要請することができる。したがって、初期情報クエリーは、初期情報クエリーに対する応答を伝送する方法に対する要請を含むことができる。初期情報クエリーに対する応答を伝送する方法には、ユニキャスト（ｕｎｉｃａｓｔ）、マルチキャスト（ｍｕｌｔｉｃａｓｔ）及びブロードキャスト（ｂｒｏａｄｃａｓｔ）がある。
【００７４】
初期情報クエリーを受信したフェムトセル基地局は、端末に、初期情報クエリー応答（ｉｎｉｔｉａｌ  ｉｎｆｏｒｍａｔｉｏｎ  ｑｕｅｒｙ  ｒｅｓｐｏｎｓｅ）を伝送する（Ｓ８０７）。フェムトセル基地局は、端末が要請した、端末に正常にサービスを提供できる隣接フェムトセル基地局に関する情報を、直ちに端末に伝達できる時には、初期情報クエリー応答に、端末に正常にサービスを提供できる隣接フェムトセル基地局に関する情報を含めて伝送し、端末が要請した情報を直ちに端末に伝達できない時には、端末が要請した情報が伝達されうる時期を示すサイクル（ｃｙｃｌｅ）を、初期情報クエリー応答に含めて伝送する。サイクルは、端末が要請した情報が伝送されうるスーパーフレームオフセット（ｓｕｐｅｒｆｒａｍｅ  ｏｆｆｓｅｔ）である。
【００７５】
図８は、フェムトセル基地局が、端末が要請した情報を直ちに端末に伝達てきず、サイクルを初期情報クエリー応答に含めて伝送している例を示している。すなわち、図８で、初期情報クエリー応答は、サイクル値‘２’を含んでおり、これは、次のスーパーフレームを含めて２番目のスーパーフレームに、端末が要請した情報を含む情報クエリー応答が伝送されるという意味である。
【００７６】
そして、初期情報クエリー応答は、端末が複数のクエリーを要請することがあり、よって、複数のクエリーを区別するためにクエリーＩＤを含む。
【００７７】
その後、放送チャネル伝送周期になると、フェムトセル基地局は放送チャネルを伝送する（Ｓ８０８）。フェムトセル基地局が、端末から受信したクエリーがあるものの、それに対する応答をまだ伝送していない場合、放送チャネルは、初期クエリーカウント（ｉｎｉｔｉａｌ  ｑｕｅｒｙｃｏｕｎｔ）及びクエリー応答指示子（ｑｕｅｒｙ  ｒｅｓｐｏｎｓｅ  ｉｎｄｉｃａｔｏｒ）を含む。
【００７８】
初期クエリーカウントは、後で情報クエリー応答が伝送されるスーパーフレームオフセットである。図８で、初期クエリーカウントが‘１’であるということは、次のスーパーフレームに情報クエリー応答が伝送されること意味する。
【００７９】
クエリー応答指示子は、現在スーパーフレームに情報クエリー応答が含まれているか否かを表す。図８で、クエリー応答指示子が“ｏｆｆ”であるということは、現在スーパーフレームに情報クエリー応答が含まれていないことを意味する。
【００８０】
初期クエリーカウント及びクエリー応答指示子は選択的に使用されることができる。すなわち、初期クエリーカウント及びクエリー応答指示子が両方とも使用されることもでき、初期クエリーカウント及びクエリー応答指示子のうちのいずれか一方が使用されることもできる。
【００８１】
そして、次の放送チャネル伝送周期に、フェムトセル基地局は放送チャネルを伝送する（Ｓ８０９）。Ｓ８０９段階で伝送する放送チャネルの初期クエリーカウントが０であり、クエリー応答指示子が‘ｏｎ’であるということは、Ｓ８０９段階で伝送する放送チャネルが含まれているスーパーフレームが情報クエリー応答を含むことを意味する。
【００８２】
放送チャネルの含まれているスーパーフレームが情報クエリー応答を含むと、放送チャネルは、フレームオフセット（ｆｒａｍｅ  ｏｆｆｓｅｔ）またはサブフレームオフセット（ｓｕｂｆｒａｍｅ  ｏｆｆｓｅｔ）を含む。フレームオフセットは、情報クエリー応答が伝送されるフレーム番号を意味し、サブフレームオフセットは、情報クエリー応答が伝送されるサブフレーム番号を意味する。
【００８３】
フェムトセル基地局は、放送チャネルのフレームオフセットまたはサブフレームオフセットが指示するフレームまたはサブフレームを通じて情報クエリー応答（ｉｎｆｏｒｍａｔｉｏｎ  ｑｕｅｒｙ  ｒｅｓｐｏｎｓｅ）を伝送する（Ｓ８１０）。情報クエリー応答は、初期クエリー要請（ｉｎｉｔｉａｌ  ｑｕｅｒｙ  ｒｅｑｕｅｓｔ）、初期クエリー応答（ｉｎｉｔｉａｌ  ｑｕｅｒｙ  ｒｅｓｐｏｎｓｅ）及びクエリーＩＤ（ｑｕｅｒｙ  ＩＤ）を含む。
【００８４】
初期クエリー要請は、Ｓ８０６段階で端末がフェムトセル基地局に伝送した初期情報クエリーに含まれている端末がフェムトセル基地局に問い合わせした事項を意味し、情報クエリー応答は、初期クエリー要請に対する応答を意味する。すなわち、Ｓ８０６段階で端末は、端末に正常にサービスを提供できる隣接フェムトセル基地局情報を要請したので、情報クエリー応答は、端末に正常にサービスを提供できる隣接フェムトセル基地局情報である。端末に正常にサービスを提供できる隣接フェムトセル基地局情報は、端末に正常にサービスを提供できる隣接フェムトセル基地局の基地局ＩＤ、及び端末に正常にサービスを提供できる隣接フェムトセル基地局が使用する周波数帯域の中心周波数を含むことができる。
【００８５】
フェムトセル基地局は、情報クエリー応答を多数回伝送することもできる（Ｓ８１１、Ｓ８１２）。図８に示すように、反復伝送する情報クエリー応答を含むスーパーフレームの放送チャネルの初期クエリーカウントは０であり、クエリー応答指示子は‘ｏｎ’に設定される。端末は、クエリーＩＤから、情報クエリー応答が反復して伝送されたことがわかる。
【００８６】
情報クエリー応答の反復伝送が終わった後、次の放送チャネル伝送周期では、フェムトセル基地局は初期クエリーカウントを０に設定し、クエリー応答指示子を‘ｏｆｆ’に設定して、放送チャネルを伝送する（Ｓ８１３）。
【００８７】
次に、端末の周辺にマクロ基地局がなく、フェムトセル基地局のみ存在する時に、端末が初期接続を試みる場合、端末に正常にサービスを提供できる隣接フェムトセル基地局情報を獲得する実施例について説明する。
【００８８】
図９は、本発明の一実施例によって端末が初期接続を試みる過程を示す図である。
【００８９】
図９に示すように、端末は、フェムトセル基地局のプリアンブル（ｐｒｅａｍｂｌｅ）を受信して、該当の基地局がフェムトセル基地局であることを認知する（Ｓ９０１）。
【００９０】
そして、フェムトセル基地局のスーパーフレームヘッダーを通じてフェムトセル基地局の基地局ＩＤ及び初期接続情報能力（Ｉｎｉｔｉａｌ  ａｃｃｅｓｓ  ｉｎｆｏｒｍａｔｉｏｎ  ｃａｐａｂｉｌｉｔｙ）を確認する（Ｓ９０２）。初期接続情報能力は、フェムトセル基地局のＳ−ＳＦＨのサブパケット（ｓｕｂ−ｐａｃｋｅｔ：ＳＰ）１またはサブパケット２に含まれて伝送されることができる。
【００９１】
初期接続情報能力が１に設定されていると、すなわち、初期接続情報能力が活性化されていると、そのフェムトセル基地局は、そのフェムトセル基地局へのネットワーク進入手順に失敗した端末に対して、端末の要請時に、ネットワーク進入手順の途中でも、端末に正常にサービスを提供できる隣接フェムトセル基地局情報を提供できるという意味である。または、端末の要請がない時にも、フェムトセル基地局は、個人キー管理応答メッセージ（ＡＡＩ＿ＰＫＭ−ＲＳＰ）あるいは他のＭＡＣメッセージを通じてそのフェムトセル基地局へのネットワーク進入手順に失敗した端末に対して、その端末がネットワーク進入できる隣接フェムトセル基地局情報を提供することができる。
【００９２】
初期接続を試みる端末は、フェムトセル基地局が端末の接続を許容するか否かがわからないので、フェムトセル基地局に一般的なネットワーク進入を試みるためにレンジング及びプレ認証能力交渉（ｐｒｅ−ａｕｔｈｅｎｔｉｃａｔｅｄ  ｃａｐａｂｉｌｉｔｙ  ｎｅｇｏｔｉａｔｉｏｎ）手順を行う（Ｓ９０３、Ｓ９０４）
そして、端末は、認証手順を行うために、フェムトセル基地局に個人キー管理要請（ａｄｖａｎｃｅｄ  ａｉｒ  ｉｎｔｅｒｆａｃｅ  ｐｒｉｖａｃｙ  ｋｅｙ  ｍａｎａｇｅｍｅｎｔ  ｒｅｑｕｅｓｔ、以下“ＡＡＩ＿ＰＫＭ−ＲＥＱ”という。）メッセージを伝送する（Ｓ９０５）。
【００９３】
この時、端末は、初期接続ネットワーク情報要請（Ｉｎｉｔｉａｌ  ａｃｃｅｓｓ  ｎｅｔｗｏｒｋ  ｉｎｆｏｒｍａｔｉｏｎ  ｒｅｑｕｅｓｔ）ビットを設定し、フェムトセル基地局への認証手順に失敗した場合、端末に正常にサービスを提供できる隣接フェムトセル基地局情報提供を要請することができる。
【００９４】
図９のように、認証手順に失敗してフェムトセル基地局の接続に失敗することがある。フェムトセル基地局がＡＡＡサーバーを通じた端末認証には成功したとしても、該当のフェムトセル基地局に接続が許容されるか否かを確認する手順に失敗した場合、該当のフェムトセル基地局への認証手順は失敗することができる。これは、フェムトセル保安ゲートウェイ（ｆｅｍｔｏ  ｃｅｌｌ  ｓｅｃｕｒｉｔｙ  ｇａｔｅｗａｙ）、ＡＡＡサーバー、フェムトセルゲートウェイ（ｆｅｍｔｏ  ｃｅｌｌ  ｇａｔｅｗａｙ）など、ネットワークに存在する個体を通じて行うことができる。
【００９５】
フェムトセル基地局は端末に個人キー管理応答（ａｄｖａｎｃｅｄ  ａｉｒ  ｉｎｔｅｒｆａｃｅ  ｐｒｉｖａｃｙ  ｋｅｙ  ｍａｎａｇｅｍｅｎｔ  ｒｅｓｐｏｎｓｅ；以下、“ＡＡＩ＿ＰＫＭ−ＲＳＰ”という。）メッセージを伝送する（Ｓ９０６）。
【００９６】
この時、フェムトセル基地局は、ＡＡＩ＿ＰＫＭ−ＲＳＰメッセージを通じて認証失敗の原因を知らせることができる。例えば、端末が現在フェムトセル基地局のメンバーでないから、接続が許容されていないことを表示できる。
【００９７】
フェムトセル基地局は、ＡＡＩ＿ＰＫＭ−ＲＳＰメッセージを通じて、端末に正常にサービスを提供できる隣接フェムトセル基地局情報を提供することができる。フェムトセル基地局は、ＡＡＩ＿ＰＫＭ−ＲＳＰメッセージではなく他のメッセージを通じて、端末に正常にサービスを提供できる隣接フェムトセル基地局情報を、端末に伝達することができる。
【００９８】
端末は、該当のフェムトセル基地局から受信した、端末に正常にサービスを提供できる隣接フェムトセル基地局情報に基づいて、迅速に初期接続を試みるフェムトセル基地局を発見することができる。
【００９９】
図１０は、本発明の他の実施例によって端末が初期接続を試みる過程を示す図である。
【０１００】
図１０に示すように、端末は、フェムトセル基地局のプリアンブル（ｐｒｅａｍｂｌｅ）を受信することから、該当の基地局がフェムトセル基地局であることを認知する（Ｓ１００１）。
【０１０１】
そして、フェムトセル基地局のスーパーフレームヘッダーを通じてフェムトセル基地局の基地局ＩＤ及び初期接続情報能力（Ｉｎｉｔｉａｌ  ａｃｃｅｓｓ  ｉｎｆｏｒｍａｔｉｏｎ  ｃａｐａｂｉｌｉｔｙ）を確認する（Ｓ１００２）。初期接続情報能力は、フェムトセル基地局のＳ−ＳＦＨのサブパケット（ｓｕｂ−ｐａｃｋｅｔ：ＳＰ）１またはサブパケット２に含まれて伝送されることができる。
【０１０２】
初期接続情報能力が１に設定されていると、すなわち、初期接続情報能力が活性化されていると、そのフェムトセル基地局は、そのフェムトセル基地局へのネットワーク進入手順に失敗した端末に対して、端末の要請時に、ネットワーク進入手順の途中でも、端末に正常にサービスを提供できる隣接フェムトセル基地局情報を提供できるという意味である。または、端末の要請がない時にも、フェムトセル基地局は、個人キー管理応答メッセージ（ＡＡＩ＿ＰＫＭ−ＲＳＰ）あるいは他のＭＡＣメッセージを通じて、そのフェムトセル基地局へのネットワーク進入手順に失敗した端末に対して、その端末がネットワーク進入できる隣接フェムトセル基地局情報を提供することができる。
【０１０３】
初期接続を試みる端末は、フェムトセル基地局が端末の接続を許容するか否かがわからないから、フェムトセル基地局に一般的なネットワーク進入を試みるためにレンジング及び端末基本能力交渉手順を行う（Ｓ１００３、Ｓ１００４）
そして、端末は、認証手順を行うために、フェムトセル基地局に、個人キー管理要請（ａｄｖａｎｃｅｄ  ａｉｒ  ｉｎｔｅｒｆａｃｅ  ｐｒｉｖａｃｙ  ｋｅｙ  ｍａｎａｇｅｍｅｎｔ  ｒｅｑｕｅｓｔ；以下、“ＡＡＩ＿ＰＫＭ−ＲＥＱ”という。）メッセージを伝送する（Ｓ１００５）。
【０１０４】
図１０のように、認証手順に失敗し、端末のフェムトセル基地局への接続に失敗することがある。認証手順は、ＡＡＡサーバー、フェムトネットワークゲートウェイなど、ネットワークに存在する個体を通じて行うことができる。
【０１０５】
フェムトセル基地局は、端末に個人キー管理応答（ＡＡＩ＿ＰＫＭ−ＲＳＰ）メッセージを伝送する（Ｓ１００６）。
【０１０６】
端末はＡＡＩ＿ＰＫＭ−ＲＳＰメッセージを受信し、認証手順に失敗することがわかると、隣接要請（ａｄｖａｎｃｅｄ  ａｉｒ  ｉｎｔｅｒｆａｃｅ  ｎｅｉｇｈｂｏｒ  ｒｅｑｕｅｓｔ；以下“ＡＡＩ＿ＮＢＲ−ＲＥＱ”という。）メッセージを通じて、端末に正常にサービスを提供できる隣接フェムトセル基地局情報提供を要請できる（Ｓ１００７）。
【０１０７】
すると、基地局は、隣接応答（ａｄｖａｎｃｅｄ  ａｉｒ  ｉｎｔｅｒｆａｃｅ  ｎｅｉｇｈｂｏｒ  ｒｅｓｐｏｎｓｅ；以下“ＡＡＩ＿ＮＢＲ−ＲＳＰ”という。）メッセージを通じて、端末に正常にサービスを提供できる隣接フェムトセル基地局情報を、端末に伝送する（Ｓ１００８）。
【０１０８】
図１１は、本発明のさらに他の実施例によって端末が初期接続を試みる過程を示す図である。
【０１０９】
図１１に示すように、端末は、フェムトセル基地局のプリアンブル（ｐｒｅａｍｂｌｅ）を受信することから、該当の基地局がフェムトセル基地局であることを認知する（Ｓ１１０１）。
【０１１０】
そして、フェムトセル基地局のスーパーフレームヘッダーから、フェムトセル基地局の基地局ＩＤ及び初期接続情報能力（Ｉｎｉｔｉａｌ  ａｃｃｅｓｓ  ｉｎｆｏｒｍａｔｉｏｎ  ｃａｐａｂｉｌｉｔｙ）を確認する（Ｓ１１０２）。
【０１１１】
初期接続情報能力が１に設定されていると、すなわち、初期接続情報能力が活性化されていると、そのフェムトセル基地局は、そのフェムトセル基地局へのネットワーク進入手順に失敗した端末に対して、端末の要請時に、ネットワーク進入手順の途中でも、端末に正常にサービスを提供できる隣接フェムトセル基地局情報を提供できるという意味である。または、端末の要請がない時にも、フェムトセル基地局は、個人キー管理応答メッセージ（ＡＡＩ＿ＰＫＭ−ＲＳＰ）あるいは他のＭＡＣメッセージを通じて、そのフェムトセル基地局へのネットワーク進入手順に失敗した端末に対して、その端末がネットワーク進入できる隣接フェムトセル基地局情報を提供することができる。
【０１１２】
初期接続を試みる端末は、フェムトセル基地局が端末の接続を許容するか否かがわからないので、フェムトセル基地局に一般的なネットワーク進入を試みるためにレンジング及び端末基本能力交渉手順を行う（Ｓ１１０３、Ｓ１１０４）
そして、端末は、認証手順を行うために、フェムトセル基地局に、個人キー管理要請（ＡＡＩ＿ＰＫＭ−ＲＥＱ）メッセージを伝送する（Ｓ１１０５）。
【０１１３】
図１１のように、認証手順に失敗し、端末のフェムトセル基地局への接続に失敗することができる。認証手順は、ＡＡＡサーバー、フェムトネットワークゲートウェイなど、ネットワークに存在する個体を通じて行うことができる。
【０１１４】
フェムトセル基地局は端末に個人キー管理応答（ＡＡＩ＿ＰＫＭ−ＲＳＰ）メッセージを伝送する（Ｓ１１０６）。
【０１１５】
端末は、ＡＡＩ＿ＰＫＭ−ＲＳＰメッセージを受信し、認証手順に失敗したことがわかると、ＡＡＩ＿ＰＫＭ−ＲＥＱメッセージを通じて、端末に正常にサービスを提供できる隣接フェムトセル基地局情報提供を要請することができる（Ｓ１１０７）。この時、伝送されるＡＡＩ＿ＰＫＭ−ＲＥＱメッセージは、ＡＡＩ＿ＰＫＭ−ＲＥＱメッセージが端末に正常にサービスを提供できる隣接フェムトセル基地局情報提供を要請するということを指示するＰＫＭコードを含む。
【０１１６】
すると、基地局は、ＡＡＩ＿ＰＫＭ−ＲＥＱメッセージをフェムトネットワークゲートウェイまたはＡＡＡサーバーにフォーワーディングし、フェムトネットワークゲートウェイまたはＡＡＡサーバーから、端末に正常にサービスを提供できる隣接フェムトセル基地局情報を受信する。
【０１１７】
そして、基地局は、ＡＡＩ＿ＰＫＭ−ＲＳＰメッセージを通じて、端末に正常にサービスを提供できる隣接フェムトセル基地局情報を、端末に伝送する（Ｓ１１０８）。この時、伝送されるＡＡＩ＿ＰＫＭ−ＲＳＰメッセージは、ＡＡＩ＿ＰＫＭ−ＲＳＰメッセージが端末に正常にサービスを提供できる隣接フェムトセル基地局情報を提供するということを指示するＰＫＭコードを含む。
【０１１８】
本発明の実施例では、認証手順に失敗すると、端末がＡＡＩ＿ＮＢＲ−ＲＥＱメッセージまたはＡＡＩ＿ＰＫＭ−ＲＥＱメッセージを通じて、端末に正常にサービスを提供できる隣接フェムトセル基地局情報提供を要請し、基地局がＡＡＩ＿ＮＢＲ−ＲＳＰメッセージまたはＡＡＩ＿ＰＫＭ−ＲＳＰメッセージを通じて、端末に正常にサービスを提供できる隣接フェムトセル基地局情報を提供する場合について説明したが、端末は、ＡＡＩ＿ＮＢＲ−ＲＥＱメッセージまたはＡＡＩ＿ＰＫＭ−ＲＥＱメッセージ以外の他のメッセージを通じて、端末に正常にサービスを提供できる隣接フェムトセル基地局情報提供を要請でき、基地局は、ＡＡＩ＿ＮＢＲ−ＲＳＰメッセージまたはＡＡＩ＿ＰＫＭ−ＲＳＰメッセージ以外の他のメッセージを通じて、端末に正常にサービスを提供できる隣接フェムトセル基地局情報を提供することもできる。
【０１１９】
本発明による実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例による初期接続方法及び基地局情報伝送方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１２０】
ファームウェアやソフトウェアによる具現の場合、本発明の一実施例による初期接続方法及び基地局情報伝送方法は、以上説明した機能または動作を行うモジュール、手順、関数などの形態とすることができる。ソフトウェアコードは、メモリーユニットに記憶されてプロセッサにより駆動することができる。メモリーユニットは、プロセッサの内部または外部に設けられて、公知の様々な手段によりプロセッサとデータを交換することができる。
【０１２１】
本発明は、本発明の技術的思想及び必須特徴を逸脱しない範囲で、別の特定の形態に具体化できるということは当業者には自明である。したがって、上記の詳細な説明はいずれの面においても制約的に解析してはならず、例示的なものとして考慮しなければならない。本発明の範囲は、添付した請求項の合理的な解析により決定されなければならず、本発明の等価的範囲内における変更はいずれも本発明の範囲に含まれる。
【０１２２】
特許請求の範囲において明示的な引用関係を有しない請求項を結合して実施例を構成したり、出願後の補正によって新しい請求項として含めたりすることができることは明らかである。
【図１】
0005337253.tif 000002
【図２】
0005337253.tif 000003
【図３】
0005337253.tif 000004
【図４】
0005337253.tif 000005
【図５】
0005337253.tif 000006
【図６】
0005337253.tif 000007
【図８】
0005337253.tif 000008
【図９】
0005337253.tif 000009
【図１０】
0005337253.tif 000010
【図１１】
0005337253.tif 000011
【図７】
0005337253.tif 000012